(57)【要約】      （修正有）【課題】エレベータを改造することなく、ドア開検出時にのみ出入口付近の照度を上げることのできるＬＥＤ照明を出入口の下部に向けた傾斜を有する固定部材に配備したエレベータの天井照明装置の提供。【解決手段】天井部に設けられた乗りかごを照らすＬＥＤ３Ａ、３Ｂと、このＬＥＤを取付ける固定部材４Ａ、４Ｂと、乗りかごのドア開検出信号で照度を上げる調光装置とを備えたエレベータの天井照明装置において、ドアが開き始めると、ドア開検出信号で、傾斜部に設けた乗りかごの出入口に対向する固定部材の少なくとも一列のＬＥＤ３Ｂが、出入口の下方をより明るく照らすようにしたものである。【選択図】図１
2009113981.tif 000002
【特許請求の範囲】
【請求項１】
エレベータの乗りかごの天井部分に配列され、前記乗りかごを照らすＬＥＤと、このＬＥＤを取付ける固定部材とで構成されるエレベータの天井照明装置であって、
前記乗りかごの出入口に対向する前記固定部材の少なくとも一列を、前記出入口の下部に向けた傾斜部を備えたことを特徴とするエレベータの天井照明装置。
【請求項２】
請求項１に記載のエレベータ天井照明装置おいて、
前記傾斜部を有する固定部材に配備された前記ＬＥＤは、前記乗りかごのドア開検出信号で照度を上げる調光装置を備えたことを特徴とするエレベータの天井照明装置。
【発明の詳細な説明】
【技術分野】
【０００１】
本発明はエレベータの天井照明装置に関する。
【背景技術】
【０００２】
エレベータのかごが着床して停止し、かご扉と乗り場扉が開き、人がエレベータの乗り降りをする際に、かごと乗り場の敷居との段差を確認することが出来ず、つまづく等の危険があった。
【０００３】
そのため、人の乗り降り時の安全性を確保するため、エレベータ乗りかごの出入口上下面部に設け、かご扉開時に出入口の床周辺を照明し、エレベータの運転状態に応じて点滅するエレベータの出入口照明装置が提案されている（特許文献１参照）。
【０００４】
また、ドア開閉の状態を明確にするため、ドア敷居部に照明装置を設置し、ドア開閉に応じて照明を点灯させたり、色を切替える照明装置が提案されている（特許文献２参照）。
【特許文献１】実開昭６２−１６８０７７号公報
【特許文献２】特開２００５−６７８３６公報
【発明の開示】
【発明が解決しようとする課題】
【０００５】
上記のような従来のエレベータの出入口照明装置では、既設のエレベータに設置する場合、エレベータ乗りかごの出入口上枠やドア敷居部に照明を設置するため、配線を敷設する改造工事が必要となり、コストが掛るという問題があった。
【０００６】
本発明の目的は、エレベータヘの大きな改造をすることなく、出入口付近での乗降時の安全を確保できるエレベータの天井照明装置を提供することにある。
【課題を解決するための手段】
【０００７】
上記目的を達成するために、請求項１、請求項２記載の発明によれば、エレベータの乗りかご内の天井部に設けられ、この乗りかごを照らすＬＥＤと、このＬＥＤを取付ける固定部材と、前記乗りかごのドア開検出信号で照度を上げる調光装置とを備えたエレベータの天井照明装置において、前記乗りかごの出入口に対向する前記固定部材の少なくとも一列は、前記出入口の下部に向けた傾斜部を備えてあり、前記ＬＥＤは、前記調光装置により前記乗りかごのドア開検出信号で照度を上げるようにしたものである。
【０００８】
このようにしたので、ドアが開き始めると、傾斜部に設けたＬＥＤが出入口の下方を他のＬＥＤより明るく照らすようにしたので、乗客に対して乗降時に足元への注意喚起を行うことが出来る。
【発明の効果】
【０００９】
請求項１、請求項２の発明によれば、ドアが開いている時、傾斜部に設けたＬＥＤが出入口下方を明るく照らすようにしたので、乗りかごに乗降する乗客に対してかごと乗り場の敷居の段差を確実に知らせることができ、出入口付近の事故が軽減され乗降時の安全を確保できる。
【００１０】
また、照明装置は乗りかごの天井部分に配置するためかご室の意匠や雰囲気を損なうことはなく、電源線等の配線の敷設が簡単に行え、エレベータの大きな改造をすることもない。
【発明を実施するための最良の形態】
【００１１】
以下、本発明におけるエレベータの天井照明装置の実施形態を図に基づいて説明する。
【００１２】
図１は本発明の一実施形態の照明装置を備えたエレベータの断面図で、図２は図１に示すエレベータの照明装置の要部回路図である。
【００１３】
図１において、エレベータの乗りかご１の天井２には複数個のＬＥＤ３Ａ、３Ｂが固定部材４Ａ、４Ｂを介して天井板５に配列され、ＬＥＤ３Ａ、３Ｂの下方にはアクリル製の光を拡散させる働きをする遮へい版６が設けられている。
【００１４】
また、乗りかごドア７に対向する列の最後列より２列のＬＥＤ３Ｂの固定部材４Ｂは、ＬＥＤ３Ｂの光を乗りかごドア７及び乗り場８に設けられる乗り場ドア９のそれぞれの敷居１０、１１に向けるよう角度θを有するくの字形をしている。
【００１５】
次に、図２において、電源Ｖｃｃ−Ｇ問にＬＥＤ３Ａ、３Ｂのスイッチ１２Ａ１と２００Ωの抵抗ＲｌとＬＥＤ３Ａが直列接続されている。
【００１６】
また、電源Ｖｃｃ−Ｇ間に、ＬＥＤ３Ａ、３Ｂのスイッチ１２Ａ２と、ドア開閉制御装置１３からのドア開検出信号１３Ａの有無でスイッチングする切替装置１４の端子１４ａと、ドア開検出信号１３Ａが無のとき切替装置１４の可動片１４ｂにて端子１４ａと接続される端子１４ｃと、２００Ω由の抵抗Ｒｌと、ＬＥＤ３Ｂとが直列接続され、ドア開検出信号１３Ａが有のとき、切替装置１４の可動片１４ｂにて端子１４ａと接続される端子１４ｄと、抵抗ＲｌとＬＥＤ３Ｂの接続点との間に１００Ωの抵抗Ｒ２が接続されている。
【００１７】
次に、本実施形態の動作の説明を行う。
【００１８】
乗りかごドア７と乗り場ドア９が閉じているとき、電源Ｖｃｃ−スイッチ１２Ａ１−抵抗Ｒｌ−ＬＥＤ３Ａ−電源Ｇの回路と、電源Ｖｃｃ−スイッチ１２Ａ２−端子１４ａ−可動片１４ｂ−端子１４ｃ−抵抗Ｒ１−ＬＥＤ３Ｂ−電源Ｇの回路とが形成され、ＬＥＤ３Ａ、３Ｂには同一の電流が流れるので同一の明るさで乗りかご１内を照らしている。
【００１９】
今、図示しない乗客が図示しない乗り場釦を押圧すると、乗りかごドア７Ａと乗り場ドア９が開くと、ドア開閉制御装置１３からドア開信号１３Ａが出力され、切替装置１４の可動片１４ｂが端子１４ａと端子１４ｄに接続し、電源Ｖｃｃ−スイッチ１２Ａ２−端子１４ａ−可動片１４ｂ−端子１４ｄ−抵抗Ｒ２−ＬＥＤ３Ｂ−電源Ｇの回路に切替わり、抵抗Ｒｌの２００Ωから抵抗Ｒ２の１００ΩとなるのでＬＥＤ３Ｂに流れる電流は２倍となり、敷居１０、１１近傍が明るく照らされる。
【００２０】
本実施形態において、乗りかごドア７、乗り場ドア９が開いたとき、敷居１０、１１の近傍をＬＥＤ３Ｂにて明るく照らすようにしたので、乗客へ乗降時の注意喚起を図ることができる。
【００２１】
また、本実施形態では、最後列より２列のＬＥＤ３Ｂにて敷居１０、１１を明るく照らすようにしたが、乗りかごドア７側の２列でも良く、敷居１０、１１を照らすように構成していればどの位置にあっても良く、天井板５に傾斜部を持たせても、同様な効果が得られる。
【図面の簡単な説明】
【００２２】
【図１】本発明の一実施形態の照明装置を備えたエレベータの照明装置の概略構成図である。
【図２】エレベータの照明装置の要部回路図である。
【符号の説明】
【００２３】
１  乗りかご
２  天井
３Ａ、３Ｂ  ＬＥＤ
４Ａ、４Ｂ  固定部材
５  天井板
６  遮へい版
７  乗りかごドア
８  乗り場
９  乗り場ドア
１０、１１  敷居
θ  角度
１２Ａｌ、１２Ａ２  スイッチ
１３  ドア開閉制御装置
１３Ａ  ドア開検出信号
１４  切替装置
１４ａ、１４ｃ、１４ｄ  端子
１４ｂ  可動片
Ｒｌ、Ｒ２  抵抗
【図１】
2009113981.tif 000003
【図２】
2009113981.tif 000004